(57)【要約】【課題】電子メール等の通信手段や外部記憶媒体から取り込んだ画像データを所望のサイズに加工してアイコン等に利用できるようにした画像表示装置を提供する。【解決手段】画像表示装置１０は、ＣＰＵ回路部１１，外部記憶媒体２１を接続する入出力Ｉ／Ｆ１５，ネットワーク２３を介して電子メールの送受信を行う通信手段１６，画像データと画像データの加工サイズを含む加工条件とを記憶した記憶手段１２を有する。ＣＰＵ回路部１１は、外部記憶媒体２１に記憶された画像データまたは通信手段１６により受信した電子メールに添付された画像データを記憶手段１２に記憶し、記憶した画像データからその画像データの種類，サイズ，アスペクト比のいずれか１又は複数の画像情報を取得し、取得した画像データのサイズが前記加工条件に含まれる加工サイズに合致しているかどうか判断し、両者が合致していない場合、前記画像データを前記加工条件に従って加工する。【選択図】図１
2005221634.tif 000002
【特許請求の範囲】
【請求項１】
画像データと画像データの加工サイズを含む加工条件とを記憶した記憶手段と、該記憶手段に記憶されている画像データから該画像データの種類，サイズ，アスペクト比のいずれか１又は複数の画像情報を取得する画像情報取得手段と、該画像情報取得手段により取得した画像データのサイズが前記加工条件に含まれる加工サイズに合致しているかどうか判断し、両者が合致していない場合、前記画像データを前記加工条件に従って加工する画像加工手段とを有することを特徴とする画像表示装置。
【請求項２】
請求項１に記載の画像表示装置において、前記記憶手段は、画像データの加工サイズ及び／又は加工方法が異なる複数の加工条件を記憶して有し、前記画像加工手段は、前記記憶手段に記憶されている画像データを加工する際に、ユーザにより指定された加工条件を前記記憶手段から選択し、該選択された加工条件に従って前記画像データを加工することを特徴とする画像表示装置。
【請求項３】
請求項１又は２に記載の画像表示装置において、該画像表示装置は、外部から画像データを取得して前記記憶手段に記憶する外部データ取得手段を有することを特徴とする画像表示装置。
【請求項４】
請求項３に記載の画像表示装置において、該画像表示装置は、画像データが記憶されている記憶媒体又は機器を着脱可能に接続するための入出力インタフェイスを有し、前記外部データ取得手段は、前記入出力インタフェイスに接続された記憶媒体又は機器から画像データを取得して前記記憶手段に記憶することを特徴とする画像表示装置。
【請求項５】
請求項３又は４に記載の画像表示装置において、該画像表示装置は、外部と通信するための通信手段を有し、該通信手段は、画像データが格納されているサーバ装置とネットワークを介して接続するためのネットワーク接続手段であり、前記外部データ取得手段は、前記サーバ装置に格納されている画像データをダウンロードして前記記憶手段に記憶することを特徴とする画像表示装置。
【請求項６】
請求項５に記載の画像表示装置において、前記通信手段は、画像データを添付可能な電子メールを送受信するための電子メール手段であり、前記外部データ取得手段は、前記電子メール手段により受信した電子メールに添付されている画像データを取得して前記記憶手段に記憶することを特徴とする画像表示装置。
【請求項７】
請求項１又は２に記載の画像表示装置において、前記画像加工手段は、画像データのサイズを前記加工サイズに合わせて調整するリサイズ手段及び／又は画像データを前記加工サイズに切り取るトリミング手段を有することを特徴とする画像表示装置。
【請求項８】
請求項７に記載の画像表示装置において、前記画像加工手段は、前記リサイズ手段又は前記トリミング手段によって加工された画像データを回転させる回転手段を有することを特徴とする画像表示装置。
【請求項９】
請求項７又は８に記載の画像表示装置において、前記リサイズ手段は、前記画像情報取得手段によって取得した画像データの種類，サイズ，アスペクト比のいずれか１又は複数の画像情報と、前記加工サイズとに基づいて前記画像データのサイズを決定することを特徴とする画像表示装置。
【請求項１０】
請求項７又は８に記載の画像表示装置において、前記トリミング手段は、画像データ上の特定の位置をユーザにより指定可能とし、該ユーザにより指定された特定位置を中心として前記画像データを前記加工サイズに切り取ることを特徴とする画像表示装置。
【請求項１１】
請求項７乃至１０のいずれか１に記載の画像表示装置において、前記画像情報取得手段は、前記リサイズ手段又は前記トリミング手段によって加工された画像データのコントラスト情報を取得可能とし、前記画像加工手段は、前記画像情報取得手段により取得したコントラスト情報に基づいて、前記加工された画像データのコントラストを調整することを特徴とする画像表示装置。
【請求項１２】
請求項７乃至１１のいずれか１に記載の画像表示装置において、前記画像加工手段は、前記リサイズ手段又は前記トリミング手段によって前記記憶手段に記憶されている画像データをアイコンに加工することを特徴とする画像表示装置。
【請求項１３】
請求項７乃至１２のいずれか１に記載の画像表示装置において、前記画像加工手段は、前記リサイズ手段又は前記トリミング手段によって加工した画像データを前記記憶手段に記憶する前に画面に表示し、該画面表示した画像データをそのまま記憶するか、再度加工するかをユーザに選択させる選択画面を表示可能とし、その結果、前記再度加工が選択された場合、前記リサイズ手段又は前記トリミング手段の加工条件を変更して再度加工できるようにしたことを特徴とする画像表示装置。
【請求項１４】
請求項１乃至１３のいずれか１に記載の画像表示装置において、該画像表示装置は、画像データを印刷する印刷装置を接続するための外部機器インタフェイスを有し、前記画像加工手段により加工された画像データを前記外部機器インタフェイスに接続された印刷装置に出力することを特徴とする画像表示装置。
【請求項１５】
請求項１、２、５のいずれか１に記載の画像表示装置において、前記通信手段は電話手段であり、前記画像表示装置は、前記画像加工手段により加工された画像データに対して、電話番号を関連付けて前記記憶手段に記憶し、前記電話手段により電話を受信した際に、該受信した電話の電話番号に対応した画像データを前記記憶手段から検索し、該検索した画像データを画面に表示することを特徴とする画像表示装置。
【請求項１６】
請求項１、２、５のいずれか１に記載の画像表示装置において、前記通信手段はファクシミリ手段であり、前記画像表示装置は、前記画像加工手段により加工された画像データに対して、ファクシミリ番号を関連付けて前記記憶手段に記憶し、前記ファクシミリ手段によりファクシミリを受信した際に、該受信したファクシミリのファクシミリ番号に対応した画像データを前記記憶手段から検索し、該検索した画像データを画面に表示することを特徴とする画像表示装置。
【請求項１７】
請求項１、２、５のいずれか１に記載の画像表示装置において、前記通信手段は電子メールを送受信するための電子メール手段であり、前記画像表示装置は、前記画像加工手段により加工された画像データに対して、電子メールアドレスを関連付けて前記記憶手段に記憶し、前記電子メール手段により電子メールを受信した際に、該受信した電子メールの電子メールアドレスに対応した画像データを前記記憶手段から検索し、該検索した画像データを画面に表示することを特徴とする画像表示装置。
【請求項１８】
画像データと共に、画像データの加工サイズを含む加工条件を記憶した記憶手段を有する画像表示装置を用いた画像データの加工方法において、前記記憶手段に記憶されている画像データから該画像データの種類，サイズ，アスペクト比のいずれか１又は複数の画像情報を取得し、該取得した画像データのサイズが前記加工条件に含まれる加工サイズに合致しているかどうか判断し、両者が合致していない場合、前記画像データを前記加工サイズに合致するように加工することを特徴とする画像データの加工方法。
【請求項１９】
請求項１乃至１７のいずれか１に記載の画像表示装置としての機能を実行するためのプログラム。
【請求項２０】
請求項１９に記載のプログラムを記録したコンピュータ読み取り可能な記録媒体。
【発明の詳細な説明】
【技術分野】
【０００１】
本発明は、画像表示装置、画像データの加工方法、プログラム、及び記録媒体、より詳細には、電子メール等の通信手段や外部記憶媒体などから取得した画像データを所望のサイズに加工、表示するための画像表示装置、画像データの加工方法、プログラム、及び記録媒体に関する。
【背景技術】
【０００２】
従来のデジタルカメラには、電子メール等の通信手段や、外部記憶媒体により取得した画像データを、一旦不揮発性メモリ等の記憶装置に格納し、ユーザの操作によって、その記憶装置に格納されている画像データを読み出して、アイコン等のサイズに加工して設定する機能を備えたものがある。
上記のようなデジタルカメラにおける画像データの加工方法に関し、例えば、特許文献１には、アイコン登録モードにおいて、画面上にアイコン化する領域を示す四角形の枠（登録枠）を表示し、ユーザが登録しようとする人物の顔などを画面上でタッチすると、その人物の顔の部分に上記登録枠が移動して、その登録枠内の画像をアイコンサイズに加工して、領域内の画像をアイコンとして利用できるようにしたものが開示されている。
【特許文献１】特開平１１−１４６３１７号公報
【発明の開示】
【発明が解決しようとする課題】
【０００３】
しかしながら、上記特許文献１に記載の発明では、デジタルカメラの画面上に表示されている画像データから、ユーザがアイコン化する領域（画像）をその都度指定しなければならず、操作性の点において利便性を欠いていた。また、例えば、携帯電話やファクシミリ装置等のように画像表示を主目的としない機器では、たとえ画像表示機能を備えていても、画像を加工するための機能を内蔵していないのが一般的であるため、画像データをアイコン等に加工したい場合、直接加工することができず、その都度画像加工機能を備えた画像表示装置等で加工しなければならない。
【０００４】
本発明は、上述のごとき実情に鑑みてなされたものであり、画像データを所望のサイズに加工してアイコン等に利用できるようにするための画像表示装置、画像データの加工方法、プログラム、及び記録媒体を提供すること、をその目的とし、より具体的には、電子メール等の通信手段や半導体メモリ等の外部記憶媒体によって取り込んだ画像データが所望のサイズに合致しない場合、その画像データのサイズをユーザ設定に従って加工して、アイコン等に利用できるようにすること、を目的としてなされたものである。
【課題を解決するための手段】
【０００５】
上記課題を解決するために、第１の技術手段は、画像データと画像データの加工サイズを含む加工条件とを記憶した記憶手段と、該記憶手段に記憶されている画像データから該画像データの種類，サイズ，アスペクト比のいずれか１又は複数の画像情報を取得する画像情報取得手段と、該画像情報取得手段により取得した画像データのサイズが前記加工条件に含まれる加工サイズに合致しているかどうか判断し、両者が合致していない場合、前記画像データを前記加工条件に従って加工する画像加工手段とを有することを特徴としたものである。
【０００６】
第２の技術手段は、第１の技術手段において、前記記憶手段は、画像データの加工サイズ及び／又は加工方法が異なる複数の加工条件を記憶して有し、前記画像加工手段は、前記記憶手段に記憶されている画像データを加工する際に、ユーザにより指定された加工条件を前記記憶手段から選択し、該選択された加工条件に従って前記画像データを加工することを特徴としたものである。
【０００７】
第３の技術手段は、第１又は第２の技術手段において、該画像表示装置は、外部から画像データを取得して前記記憶手段に記憶する外部データ取得手段を有することを特徴としたものである。
【０００８】
第４の技術手段は、第３の技術手段において、該画像表示装置は、画像データが記憶されている記憶媒体又は機器を着脱可能に接続するための入出力インタフェイスを有し、前記外部データ取得手段は、前記入出力インタフェイスに接続された記憶媒体又は機器から画像データを取得して前記記憶手段に記憶することを特徴としたものである。
【０００９】
第５の技術手段は、第３又は第４の技術手段において、該画像表示装置は、外部と通信するための通信手段を有し、該通信手段は、画像データが格納されているサーバ装置とネットワークを介して接続するためのネットワーク接続手段であり、前記外部データ取得手段は、前記サーバ装置に格納されている画像データをダウンロードして前記記憶手段に記憶することを特徴としたものである。
【００１０】
第６の技術手段は、第５の技術手段において、前記通信手段は、画像データを添付可能な電子メールを送受信するための電子メール手段であり、前記外部データ取得手段は、前記電子メール手段により受信した電子メールに添付されている画像データを取得して前記記憶手段に記憶することを特徴としたものである。
【００１１】
第７の技術手段は、第１又は第２の技術手段において、前記画像加工手段は、画像データのサイズを前記加工サイズに合わせて調整するリサイズ手段及び／又は画像データを前記加工サイズに切り取るトリミング手段を有することを特徴としたものである。
【００１２】
第８の技術手段は、第７の技術手段において、前記画像加工手段は、前記リサイズ手段又は前記トリミング手段によって加工された画像データを回転させる回転手段を有することを特徴としたものである。
【００１３】
第９の技術手段は、第７又は第８の技術手段において、前記リサイズ手段は、前記画像情報取得手段によって取得した画像データの種類，サイズ，アスペクト比のいずれか１又は複数の画像情報と、前記加工サイズとに基づいて前記画像データのサイズを決定することを特徴としたものである。
【００１４】
第１０の技術手段は、第７又は第８の技術手段において、前記トリミング手段は、画像データ上の特定の位置をユーザにより指定可能とし、該ユーザにより指定された特定位置を中心として前記画像データを前記加工サイズに切り取ることを特徴としたものである。
【００１５】
第１１の技術手段は、第７乃至第１０のいずれか１の技術手段において、前記画像情報取得手段は、前記リサイズ手段又は前記トリミング手段によって加工された画像データのコントラスト情報を取得可能とし、前記画像加工手段は、前記画像情報取得手段により取得したコントラスト情報に基づいて、前記加工された画像データのコントラストを調整することを特徴としたものである。
【００１６】
第１２の技術手段は、第７乃至第１１のいずれか１の技術手段において、前記画像加工手段は、前記リサイズ手段又は前記トリミング手段によって前記記憶手段に記憶されている画像データをアイコンに加工することを特徴としたものである。
【００１７】
第１３の技術手段は、第７乃至第１２のいずれか１の技術手段において、前記画像加工手段は、前記リサイズ手段又は前記トリミング手段によって加工した画像データを前記記憶手段に記憶する前に画面に表示し、該画面表示した画像データをそのまま記憶するか、再度加工するかをユーザに選択させる選択画面を表示可能とし、その結果、前記再度加工が選択された場合、前記リサイズ手段又は前記トリミング手段の加工条件を変更して再度加工できるようにしたことを特徴としたものである。
【００１８】
第１４の技術手段は、第１乃至第１３のいずれか１の技術手段において、該画像表示装置は、画像データを印刷する印刷装置を接続するための外部機器インタフェイスを有し、前記画像加工手段により加工された画像データを前記外部機器インタフェイスに接続された印刷装置に出力することを特徴としたものである。
【００１９】
第１５の技術手段は、第１、第２、第５のいずれか１の技術手段において、前記通信手段は電話手段であり、前記画像表示装置は、前記画像加工手段により加工された画像データに対して、電話番号を関連付けて前記記憶手段に記憶し、前記電話手段により電話を受信した際に、該受信した電話の電話番号に対応した画像データを前記記憶手段から検索し、該検索した画像データを画面に表示することを特徴としたものである。
【００２０】
第１６の技術手段は、第１、第２、第５のいずれか１の技術手段において、前記通信手段はファクシミリ手段であり、前記画像表示装置は、前記画像加工手段により加工された画像データに対して、ファクシミリ番号を関連付けて前記記憶手段に記憶し、前記ファクシミリ手段によりファクシミリを受信した際に、該受信したファクシミリのファクシミリ番号に対応した画像データを前記記憶手段から検索し、該検索した画像データを画面に表示することを特徴としたものである。
【００２１】
第１７の技術手段は、第１、第２、第５のいずれか１の技術手段において、前記通信手段は電子メールを送受信するための電子メール手段であり、前記画像表示装置は、前記画像加工手段により加工された画像データに対して、電子メールアドレスを関連付けて前記記憶手段に記憶し、前記電子メール手段により電子メールを受信した際に、該受信した電子メールの電子メールアドレスに対応した画像データを前記記憶手段から検索し、該検索した画像データを画面に表示することを特徴としたものである。
【００２２】
第１８の技術手段は、画像データと共に、画像データの加工サイズを含む加工条件を記憶した記憶手段を有する画像表示装置を用いた画像データの加工方法において、前記記憶手段に記憶されている画像データから該画像データの種類，サイズ，アスペクト比のいずれか１又は複数の画像情報を取得し、該取得した画像データのサイズが前記加工条件に含まれる加工サイズに合致しているかどうか判断し、両者が合致していない場合、前記画像データを前記加工サイズに合致するように加工することを特徴としたものである。
【００２３】
第１９の技術手段は、第１乃至第１７のいずれか１の画像表示装置としての機能を実行するためのプログラムであることを特徴としたものである。
【００２４】
第２０の技術手段は、第１９のプログラムを記録したコンピュータ読み取り可能な記録媒体であることを特徴としたものである。
【００２５】
上記各技術手段によれば、記憶手段に格納されている画像データをアイコン等に利用するときに、画像データの情報から画像サイズを判別し、その結果、アイコン等に利用するのに大きすぎる画像データの場合、ユーザ設定により自動的にトリミング処理もしくはリサイズ処理等により大きさが最適化され、さらにコントラストも最適化することで、アイコン等に利用するときに最適な状態に加工することができる。
【００２６】
また、画像データの加工方法がトリミング処理の場合、ユーザ設定により、例えば５箇所（中央，右上，右下，左上，左下）から選択できるようにして、画像表示装置はその設定に従って画像データの該当部分を自動的にトリミングする。また、加工方法がリサイズ処理の場合、アイコン用の画像データの設定値と、記憶手段に記憶されている画像データの大きさから縮小（又は拡大）比を算出することにより、画像データの大きさを決定し、リサイズ処理を実行する。さらには、上記のように加工した画像データのコントラストを自動的に補正することができるため、操作性の大幅な向上に寄与することができる。
【発明の効果】
【００２７】
電子メール等の通信手段や半導体メモリ等の外部記憶媒体によって取り込んだ画像データが所望のサイズに合致しない場合、その画像データのサイズをユーザ設定に従って加工することができるため、ユーザは特別な操作なしに所望のサイズの画像データを簡単に取得してアイコン等に利用することができる。
【発明を実施するための最良の形態】
【００２８】
図１は、本発明の一実施形態に係る画像表示装置の概略的な構成例を示すブロック図で、図中、１０は画像表示装置で、該画像表示装置１０は、ＣＰＵ回路部１１，記憶手段１２，操作入力手段１３，表示手段１４，入出力インタフェイス（以下、入出力Ｉ／Ｆという）１５，通信手段１６，外部機器Ｉ／Ｆ１７を有している。ＣＰＵ回路部１１は、制御プログラムやデータ等を記憶したＲＯＭ１１ａを有し、記憶手段１２には画像データ１２ａ，画像データ１２ａを所望のサイズ等で加工するための加工条件１２ｂ，画像データ１２ａを加工条件１２ｂに従って加工して作成されたアイコン等の加工データ１２ｃが記憶される。尚、画像データ１２ａの加工サイズは画像表示装置１０の仕様（すなわち、画素数及び解像度）の範囲で任意に設定することができる。
【００２９】
入出力Ｉ／Ｆ１５は外部記憶媒体２１又は機器（図示せず）を着脱可能に接続し、外部機器Ｉ／Ｆ１７は印刷装置２２を接続可能とする。尚、外部記憶媒体２１を接続する入出力Ｉ／Ｆ１５と、印刷装置２２を接続する外部機器Ｉ／Ｆ１７とは同じインタフェイス規格であってもよい。また、画像表示装置１０は、印刷装置２２を内蔵した形態であってもよく、この場合、外部機器Ｉ／Ｆ１７は不要となる。
【００３０】
表示手段１４は、アイコンやその他各種情報を表示するためのＬＣＤやＣＲＴ等といった表示装置で、操作入力手段１３により表示させる情報を操作することができる。通信手段１６は、公衆回線網等のネットワーク２３を介して外部との通信を行うためのもので、電話による通話／ファクシミリ、インターネット接続、電子メールの送受信などを行うことができる。画像データは、入出力Ｉ／Ｆ１５や通信手段１６を利用することにより外部機器、例えば、メモリカード等の外部記憶媒体，デジタルカメラやデジタルカメラ付き携帯電話等の機器，ファクシミリ装置，電子メール，インターネット上のサーバ装置などから取得することができる。
【００３１】
印刷装置２２は、上記により取得した画像データや、それらの画像データを加工して作成されたアイコン等を印刷することができ、画像表示装置１０に内蔵又は外付けにより接続される。操作入力手段１３は、ユーザからの命令をＣＰＵ回路部１１に伝達するための入力手段で、この操作入力手段１３の操作入力に従って表示手段１４に表示される内容の変更や、ユーザにより設定される加工条件１２ｂを変更することができる。記憶手段１２は、外部から取得した画像データ１２ａや、それらの画像データに加工を施した加工データ１２ｃを記憶するほか、ユーザ設定（加工条件１２ｂを含む）やファクシミリの内容などを記憶することができる。尚、加工条件１２ｂは、画像データの加工サイズ（アイコンサイズ等）や、加工方法（リサイズ処理、トリミング処理、回転処理など）を含み、記憶手段１２は、加工サイズ及び／又は加工方法の異なる加工条件を複数記憶しておいてもよい。
【００３２】
上記記憶手段１２は、例えば、ＳＲＡＭやＤＲＡＭなどの揮発性半導体メモリや、フラッシュＲＯＭなどの不揮発性半導体メモリ、ハードディスクなどである。ＣＰＵ回路部１１には、すべての作業を制御するＣＰＵの他、すべての制御プログラムを保存するＲＯＭ１１ａも含まれている。このＲＯＭ１１ａは、例えば、フラッシュＲＯＭなどの不揮発性半導体メモリで構成されている。入出力Ｉ／Ｆ１５は、半導体メモリカード等の外部記憶媒体や、デジタルカメラ等の機器を着脱可能に接続することにより、画像表示装置１０内の画像データ等を外部記憶媒体に保存したり、外部記憶媒体に保存されている画像データ等の取り込みを可能とする。
【００３３】
図２は、図１に示した画像表示装置１０が有する画像加工機能の詳細例について説明するためのブロック図で、画像表示装置１０は、記憶手段１２に記憶されている画像データ１２ａから、画像データ１２ａの種類，サイズ，アスペクト比のいずれか１又は複数の画像情報を取得する画像情報取得手段１１ａ1と、画像情報取得手段１１ａ1により取得した画像データのサイズが加工条件１２ｂに含まれる加工サイズに合致しているかどうか判断し、両者が合致していない場合、画像データ１２ａを前記加工サイズに合致するように加工する画像加工手段１１ａ2と、入出力Ｉ／Ｆ１５あるいは通信手段１６等を介して外部から画像データを取得して記憶手段１２に記憶する外部データ取得手段１１ａ3とを有している。上記画像加工手段１１ａ2は、画像データをトリミング処理，リサイズ処理，回転処理などの加工方法で指定サイズに加工する手段を備え、さらには加工した画像データのコントラストを調整する手段を備えていてもよい。コントラスト調整の際には、画像情報取得手段１１ａ1が、画像加工手段１１ａ2により加工された画像データからコントラスト情報を取得する。
【００３４】
画像表示装置１０は、上記各手段により、入出力Ｉ／Ｆ１５あるいは通信手段１６を介して取得した画像データのサイズ等を自動的に判別し、その結果、当該画像データが所定の表示サイズ以外の場合にはそのサイズに自動的に加工することができる。尚、上記各手段は、ＲＯＭ１１ａにプログラムとして格納され、ＣＰＵ回路部１１によって実現される。
【００３５】
而して、上記各手段により、（ａ）記憶手段１２に格納された画像データから、画像の種類，サイズ等の情報を取得し、所定の表示仕様（種類、サイズ等）に合致したものかどうか判別し、（ｂ）表示仕様に合致したものであれば、画像データを加工せずにそのまま保存し、アイコン等に当該画像データを使用し、（ｃ）上記（ａ）の判別処理で表示仕様に合致していないと判別され、且つ、ユーザ設定により自動的に加工する設定となっていた場合は、その加工設定に従って画像データを加工し、その後アイコン等に使用することができるため、画像処理及び表示に関する操作性を向上させることができる。
【００３６】
また、上記画像加工手段１１ａ2が、リサイズ処理又はトリミング処理によって加工した画像データを記憶手段１２に記憶する前に画面に表示し、画面表示した画像データをそのまま記憶するか、再度加工するかをユーザに選択させる選択画面を表示できるようにし、その結果、再度加工が選択された場合、リサイズ処理又はトリミング処理の加工条件を変更して再度加工できるようにしてもよい。これにより、加工した画像データの微調整が可能となり、ユーザは自分の好みに合った画像を取得することができる。
【００３７】
図３は、本発明が適用される画像データの加工方法の一例を説明するためのフロー図である。本例では、図１に示した画像表示装置１０のＣＰＵ回路部１１によって実行される画像データのトリミング処理の制御手順について説明するものとする。尚、以下の説明では、画像データをアイコンサイズ（例えば、３２×３２ドット）に加工する場合を代表例として説明するが、加工サイズは本例に限らず任意に設定することができる。
【００３８】
まず、画像表示装置１０は、通信手段１６により電子メールやインターネット上のＷｅｂサイト、あるいは入出力Ｉ／Ｆ１５に接続された外部記憶媒体２１から画像データを取得し（ステップＳ１）、記憶手段１２に保存する。画像データを保存した後に、保存した画像データをアイコンに使用できるサイズかどうか判断し（ステップＳ２）、アイコンに使用できるサイズと判断した場合（ＹＥＳの場合）、ステップＳ１９に移行して当該画像データをアイコンに使用するように設定する。また、上記ステップＳ２においてアイコンに使用できないサイズと判断した場合（ＮＯの場合）、自動加工設定されているかどうか判断する（ステップＳ３）。
【００３９】
次に、上記ステップＳ３において、自動加工設定がされていない場合（ＮＯの場合）、そのまま処理を終了し、自動加工設定がされている場合（ＹＥＳの場合）、記憶手段１２内の空き容量が加工した画像を保存しておくのに十分かどうか判別し（ステップＳ４）、記憶容量が不足している場合（ＮＯの場合）、そのまま処理を終了させる。また、上記ステップＳ４において記憶容量が十分な場合（ＹＥＳの場合）、加工設定（本例ではトリミング処理かリサイズ処理か）を判断する（ステップＳ５）。
【００４０】
上記ステップＳ５において、加工設定がトリミング処理ではない、すなわちリサイズ処理の場合（ＮＯの場合）、ステップＳ６においてリサイズ処理を実行する。このリサイズ処理については後述するものとする。また、上記ステップＳ５において、加工設定がトリミング処理の場合（ＹＥＳの場合）、トリミング処理する位置が画像データの中央部かどうか判断し（ステップＳ７）、トリミング位置が画像データの中央部の場合（ＹＥＳの場合）、トリミング位置を中央部に決定して（ステップＳ８）、トリミング処理を実行する（ステップＳ９）。
【００４１】
また、上記ステップＳ７において、トリミングする位置が画像データの中央部でない場合（ＮＯの場合）、トリミング処理する位置が画像データの右上部かどうか判断し（ステップＳ１０）、トリミング位置が画像データの右上部の場合（ＹＥＳの場合）、トリミング位置を右上部に決定して（ステップＳ１１）、トリミング処理を実行する（ステップＳ９）。
また、上記ステップＳ１０において、トリミングする位置が画像データの右上部でない場合（ＮＯの場合）、トリミング処理する位置が画像データの右下部かどうか判断し（ステップＳ１２）、トリミング位置が画像データの右下部の場合（ＹＥＳの場合）、トリミング位置を右下部に決定して（ステップＳ１３）、トリミング処理を実行する（ステップＳ９）。
【００４２】
また、上記ステップＳ１２において、トリミングする位置が画像データの右下部でない場合（ＮＯの場合）、トリミング処理する位置が画像データの左上部かどうか判断し（ステップＳ１４）、トリミング位置が画像データの左上部の場合（ＹＥＳの場合）、トリミング位置を左上部に決定して（ステップＳ１５）、トリミング処理を実行する（ステップＳ９）。
また、上記ステップＳ１４において、トリミングする位置が画像データの左上部でない場合（ＮＯの場合）、トリミング位置を左下部に決定して（ステップＳ１６）、トリミング処理を実行する（ステップＳ９）。
【００４３】
上記ステップＳ７からステップＳ１６において、トリミングする位置を画像データの中央，右上，右下，左上，左下から選択し、選択した位置の画像データをトリミング処理する。次に、トリミング処理またはリサイズ処理により作成された画像データ（加工データ）のコントラストを検出し、検出したコントラストが規定値より外れている場合、規定値になるように修正する（ステップＳ１７）。次に、上記加工データを記憶手段１２に保存し（ステップＳ１８）、記憶手段１２に保存された加工データをアイコンとして使用できるように設定する（ステップＳ１９）。このアイコンは、表示手段１４において表示されるものである。
【００４４】
図４は、本発明が適用される画像データの加工方法の他の例を説明するためのフロー図である。本例では、図１に示した画像表示装置１０のＣＰＵ回路部１１によって実行される画像データのリサイズ処理の制御手順について説明するものとする。尚、以下の説明では、画像データをアイコンサイズ（例えば、３２×３２ドット）に加工する場合を代表例として説明するが、加工サイズは本例に限らず任意に設定することができる。
【００４５】
まず、画像表示装置１０は、通信手段１６により電子メールやインターネット上のＷｅｂサイト、あるいは入出力Ｉ／Ｆ１５に接続された外部記憶媒体２１から画像データを取得し（ステップＳ２１）、記憶手段１２に保存する。画像データを保存した後に、保存した画像データをアイコンに使用できるサイズかどうか判断し（ステップＳ２２）、アイコンに使用できるサイズと判断した場合（ＹＥＳの場合）、ステップＳ３１に移行して当該画像データをアイコンに使用するように設定する。また、上記ステップＳ２２においてアイコンに使用できないサイズと判断した場合（ＮＯの場合）、自動加工設定されているかどうか判断する（ステップＳ２３）。
【００４６】
次に、上記ステップＳ２３において、自動加工設定がされていない場合（ＮＯの場合）、そのまま処理を終了し、自動加工設定がされている場合（ＹＥＳの場合）、記憶手段１２内の空き容量が加工した画像を保存しておくのに十分かどうか判別し（ステップＳ２４）、記憶容量が不足している場合（ＮＯの場合）、そのまま処理を終了させる。また、上記ステップＳ２４において記憶容量が十分な場合（ＹＥＳの場合）、加工設定（本例ではトリミング処理かリサイズ処理か）を判断する（ステップＳ２５）。
【００４７】
上記ステップＳ２５において、加工設定がトリミング処理である場合（ＹＥＳの場合）、ステップＳ２６においてトリミング処理を実行する。このトリミング処理は図２に示したトリミング処理と同様の手順とする。また、上記ステップＳ２５において、加工設定がトリミング処理でない、すなわち、リサイズ処理の場合（ＮＯの場合）、画像データのサイズと、予め規定されているアイコンのサイズとの倍率を算出する（ステップＳ２７）。ここで、取得した画像データのアスペクト比が使用しているアイコンのアスペクト比と必ずしも合っているとは限らないので、縦と横の倍率のうち大きい方の倍率をリサイズ時の倍率とする。次に、上記ステップＳ２７で算出された倍率を元にリサイズ処理を行う（ステップＳ２８）。
【００４８】
次に、トリミング処理またはリサイズ処理により作成された画像データ（加工データ）のコントラストを検出し、検出したコントラストが規定値より外れている場合、規定値になるように修正する（ステップＳ２９）。次に、上記加工データを記憶手段１２に保存し（ステップＳ３０）、記憶手段１２に保存された加工データをアイコンとして使用できるように設定する（ステップＳ３１）。このアイコンは、表示手段１４において表示されるものである。
【００４９】
図５は、本発明が適用される画像データの加工方法の他の例を説明するためのフロー図である。本例では、図３及び図４に示したコントラスト補正時の制御手順について詳細に説明する。
まず、画像表示装置１０は、加工された画像データ（加工データ）のピクセル数を算出する（ステップＳ４１）。ここで、ピクセルとは画像を構成する点を表し、このピクセルには色や明るさを表す輝度等の情報が盛り込まれている。このピクセルの輝度を上げることによりコントラストを補正する処理を施す。次に、各ピクセルの輝度情報を読み出し（ステップＳ４２）、読み出した輝度の値と、予め規定された閾値とを比較する（ステップＳ４３）。この閾値は、ユーザ設定により任意の段階（例えば、３段階など）で選択することができ、それぞれの段階の閾値を反映したコントラストの画像に加工することができる。
【００５０】
上記ステップＳ４３において、もし加工データの輝度が閾値を下回った場合（ＮＯの場合）、加工データの輝度を上げる処理を実行する（ステップＳ４４）。また、上記ステップＳ４３において、加工データの輝度が閾値より上の場合（ＹＥＳの場合）、ステップＳ４５に移行する。次に、すべてのピクセルについて補正を実行したかどうか判定し（ステップＳ４５）、すべてのピクセルについて補正処理が完了した場合（ＹＥＳの場合）、処理を終了し、すべてのピクセルについて補正処理が完了していない場合（ＮＯの場合）、上記ステップＳ４２に戻り処理を繰り返す。
【００５１】
本発明によると、電子メール等の通信手段や半導体メモリ等の外部記憶媒体によって取り込んだ画像データが所望のサイズに合致しない場合、その画像データのサイズをユーザ設定に従って加工することができるため、ユーザは特別な操作なしに所望のサイズの画像データを取得することができる。
【００５２】
また、画像データの加工方法は、画像データを所望のサイズ分だけ切り取るトリミング処理と、画像サイズを所望のサイズに変更（リサイズ）するリサイズ処理とを選択することができる。このときトリミング処理が選択された場合、トリミングする位置は、例えば、画像データの中央，右上，右下，左上，左下の５箇所から選択することができ、また、リサイズ処理が選択された場合、アイコン用の画像データの設定値と、記憶手段に記憶されている画像データの大きさから縮小（又は拡大）比を算出することにより、画像データの大きさを決定し、リサイズ処理を実行できるため、ユーザは所望の画像を所望のサイズで取得することができる。
【００５３】
また、トリミング処理又はリサイズ処理により加工した画像データに対して、コントラストを補正する処理を実行することができるため、より見やすいアイコンの作成をすることができる。さらには、コントラストも３段階程度でユーザが選択できるため、よりユーザ好みのアイコンを作成することができる。
【００５４】
図６は、図１に示した画像表示装置１０における画像データの外部出力方法の一例を示す図である。本例では、通信手段１６や、入出力Ｉ／Ｆ１５、外部機器Ｉ／Ｆ１７を用いて外部へ出力する方法について説明する。
画像表示装置１０は、通信手段１６を使用して、インターネット等のネットワーク２３上でＷｅｂサイトを提供するサーバ装置に、加工した画像データ（加工データ）をアップロードしたり、電子メールに加工データを添付し、他の画像表示装置１０に送信することができる。また、入出力Ｉ／Ｆ１５を使用して、加工データを外部記憶媒体２１に保存することにより、加工データのバックアップや、他の画像表示装置１０における加工データの使用を可能にする。また、画像表示装置１０に内蔵又は外部機器Ｉ／Ｆ１７を介して接続された印刷装置２２を使用して、加工データを普通紙やシール用紙などにプリントアウトすることもできる。
【００５５】
本発明によると、アイコン等に加工された画像データを、印刷装置により普通紙やプリントシールなどに印刷出力することができると共に、通信手段によってインターネット上のＷｅｂサイト（サーバ装置）にアップロードしたり、電子メール等に添付することにより、加工した画像データを外部出力することができ、さらには、外部記憶媒体（半導体メモリカード等）に保存することができるため、他の画像表示装置でも加工した画像データを使用することができ、加工した画像データを有効に活用することができる。
【００５６】
また、他の実施形態として、通信手段１６が電話手段である場合、画像表示装置１０は、画像加工手段１１ａ2により加工された画像データに対して、電話番号を関連付けて記憶手段１２に記憶し、上記電話手段により電話を受信した際に、受信した電話の電話番号に対応した画像データを記憶手段１２から検索し、検索した画像データを画面に表示するように構成してもよい。
【００５７】
また、通信手段１６がファクシミリ手段である場合、画像表示装置１０は、画像加工手段１１ａ2により加工された画像データに対して、ファクシミリ番号を関連付けて記憶手段１２に記憶し、上記ファクシミリ手段によりファクシミリを受信した際に、受信したファクシミリのファクシミリ番号に対応した画像データを記憶手段１２から検索し、検索した画像データを画面に表示するようにしてもよい。
【００５８】
さらには、通信手段１６が電子メールを送受信するための電子メール手段である場合、画像表示装置１０は、画像加工手段１１ａ2により加工された画像データに対して、電子メールアドレスを関連付けて記憶手段１２に記憶し、上記電子メール手段により電子メールを受信した際に、受信した電子メールの電子メールアドレスに対応した画像データを記憶手段１２から検索し、検索した画像データを画面に表示するようにしてもよい。
【００５９】
本発明によると、画像表示装置が、電話、ファクシミリ、電子メール等を受信した際に、その発信元（送信者）に対応した画像データ（例えば、顔写真等のアイコン）を画面表示することができるため、ユーザ（受信者）は、誰からの電話又はＦＡＸ又は電子メールかを即座に判別することができる。
【００６０】
以上説明した画像表示装置１０としての機能は、画像データを表示させる表示装置のほか、モデムなどの通信処理用ハードウエアを備えるコンピュータ装置において画像データの表示、加工処理等を実行する画像処理プログラムによって実現される。従って、本発明は、画像表示装置１０としての機能を実行するための、あるいは、画像表示装置１０を用いた画像データの加工方法を実行するためのプログラムそのものであってもよい。また、当該プログラムを記録したコンピュータ読み取り可能な記録媒体の形態としてもよい。
【００６１】
また、上記のごとくプログラムを記録するための記録媒体として、図１に示したＣＰＵ回路部１１のようにＣＰＵで処理が行われるために必要なＲＯＭ１１ａをプログラム記録メディアとしてもよいし、また、入出力Ｉ／Ｆ１５に接続された外部記憶媒体２１をプログラム記録メディアとしてもよい。いずれの場合においても、格納されているプログラムにＣＰＵ回路部１１のＣＰＵがアクセスして実行する構成であってもよいし、あるいは格納されているプログラムを読み出し、読み出したプログラムを図示しないプログラム記憶エリアにロードして実行する構成としてもよい。このロード用のプログラムは予め本体装置（画像表示装置１０）内に格納されているものとする。
【００６２】
ここで、上記プログラム記録メディアは、本体と分離可能に構成される外部記憶媒体２１の場合、磁気テープやカセットテープ等のテープ系、ＦＤ（フレキシブルディスク）やＨＤ（ハードディスク）等の磁気ディスクやＣＤ−ＲＯＭ／ＭＯ／ＭＤ／ＤＶＤ等の光（光磁気）ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００６３】
また、本発明は、インターネットを含む通信ネットワークと接続可能なシステム構成をとることができるため、通信ネットワークからプログラムをダウンロードするように流動的にプログラムを担持する形態であってもよい。
なお、上記記録媒体に格納されている内容としてはプログラムに限定されず、データであってもよい。
【００６４】
さらに、本発明は、画像データの加工方法としての形態、すなわち、図１に示したＣＰＵ回路部１１のＣＰＵで実行される処理そのものであってもよいし、インターネットを含む通信ネットワークにアクセスすることで取り込める、あるいは取り込めたプログラムとしての形態であってもよいし、こちら（画像表示装置１０）から外部記憶媒体や通信ネットワーク等に当該プログラムを送り出す形態であってもよい。さらには、取り込んだプログラムに基づいて、上記画像表示装置１０内で処理された結果、つまり生成されたアイコン等であってもよい。あるいは、上記画像表示装置１０内で処理された結果、つまり生成されたアイコン等を外部記憶媒体や通信ネットワーク等に送り出す形態であってもよい。
【図面の簡単な説明】
【００６５】
【図１】本発明の一実施形態に係る画像表示装置の概略的な構成例を示すブロック図である。
【図２】図１に示した画像表示装置が有する画像加工機能の詳細例について説明するためのブロック図である。
【図３】本発明が適用される画像データの加工方法の一例を説明するためのフロー図である。
【図４】本発明が適用される画像データの加工方法の他の例を説明するためのフロー図である。
【図５】本発明が適用される画像データの加工方法の他の例を説明するためのフロー図である。
【図６】図１に示した画像表示装置における画像データの外部出力方法の一例を示す図である。
【符号の説明】
【００６６】
１０…画像表示装置、１１…ＣＰＵ回路部、１１ａ…ＲＯＭ、１１ａ1…画像情報取得手段、１１ａ2…画像加工手段、１１ａ3…外部データ取得手段、１２…記憶手段、１２ａ…画像データ、１２ｂ…加工条件、１２ｃ…加工データ、１３…操作入力手段、１４…表示手段、１５…入出力Ｉ／Ｆ、１６…通信手段、１７…外部機器Ｉ／Ｆ、２１…外部記憶媒体、２２…印刷装置、２３…ネットワーク。
【図１】
2005221634.tif 000003
【図２】
2005221634.tif 000004
【図３】
2005221634.tif 000005
【図４】
2005221634.tif 000006
【図５】
2005221634.tif 000007
【図６】
2005221634.tif 000008